(57)【要約】【課題】受信局からフィードバックされたチャネル情報をスケジューリングに用いるか否かを切り替えても、周波数帯域の利用効率を低下させることがない伝送制御装置、伝送制御方法、及び送信局装置を提供する。【解決手段】伝送制御装置が、チャネル情報をスケジューリングに用いるか否かを判定するＭＩＭＯ方式制御部１１と、ドップラ周波数を推定するドップラ周波数推定部１０と、チャネル情報を受信するチャネル情報フィードバック受信部１４と、送信モードを変更するか否かを判定するシグナリング送信判定部１２と、送信モード変更の判定結果に基づいて送信モードを変更するシグナリング送信部１３と、チャネル情報をスケジューリングに用いるか否かについての判定結果と変更された送信モードとに基づいてスケジューリングを行う無線パケットスケジューラと、を備える。【選択図】図１
2011029894.tif 000002
【特許請求の範囲】
【請求項１】
受信局が送信したチャネル情報を受信するチャネル情報フィードバック受信部と、
前記受信局が送信したパイロット信号に基づいてドップラ周波数を推定するドップラ周波数推定部と、
前記推定されたドップラ周波数に基づいて、前記チャネル情報をスケジューリングに用いるか否かを判定するＭＩＭＯ方式制御部と、
前記推定されたドップラ周波数に基づいて、ＭＩＭＯの送信モードを変更するか否かを判定するシグナリング送信判定部と、
前記送信モード変更の判定結果に基づいて前記送信モードを変更し、前記受信局が前記送信モードを変更するためのシグナリングメッセージを送信するシグナリング送信部と、
前記チャネル情報をスケジューリングに用いるか否かについての判定結果と、前記送信モードの変更の判定結果と、に基づいて、無線パケットのスケジューリングを行う無線パケットスケジューラと、
を備えることを特徴とする伝送制御装置。
【請求項２】
前記無線パケットスケジューラは、前記チャネル情報をスケジューリングに用いる前記送信モードにおいて、前記チャネル情報をスケジューリングに用いないと判定された場合に、前記チャネル情報の代わりに、予め決められたプリコーディングパターンを用いてスケジューリングすることを特徴とする請求項１に記載の伝送制御装置。
【請求項３】
前記ＭＩＭＯ方式制御部は、前記ドップラ周波数が第１の閾値以上となった場合に、前記チャネル情報をスケジューリングに用いないと判定し、前記ドップラ周波数が第２の閾値以下となった場合に、前記チャネル情報をスケジューリングに用いると判定することを特徴とする請求項１から請求項２のいずれか１つに記載の伝送制御装置。
【請求項４】
前記シグナリング送信判定部は、前記ドップラ周波数が第３の閾値以上となった場合に、前記チャネル情報を送信させないための前記シグナリングメッセージを前記受信局に送信し、前記ドップラ周波数が第４の閾値以下となった場合に、前記チャネル情報を送信させるための前記シグナリングメッセージを前記受信局に送信することを特徴とする請求項１から請求項２のいずれか１つに記載の伝送制御装置。
【請求項５】
前記シグナリング送信判定部は、前記ＭＩＭＯ方式制御部が前記チャネル情報をスケジューリングに用いないと判定した時刻から所定時間が経過した後に、前記チャネル情報を送信させないための前記シグナリングメッセージを前記受信局に送信することを特徴とする請求項１から請求項２のいずれか１つに記載の伝送制御装置。
【請求項６】
伝送制御装置における伝送制御方法であって、
チャネル情報フィードバック受信部が、受信局が送信したチャネル情報を受信するステップと、
ドップラ周波数推定部が、前記受信局が送信したパイロット信号に基づいてドップラ周波数を推定するステップと、
ＭＩＭＯ方式制御部が、前記推定されたドップラ周波数に基づいて、前記チャネル情報をスケジューリングに用いるか否かを判定するステップと、
シグナリング送信判定部が、前記推定されたドップラ周波数に基づいて、ＭＩＭＯの送信モードを変更するか否かを判定するステップと、
シグナリング送信部が、前記送信モード変更の判定結果に基づいて前記送信モードを変更し、前記受信局が前記送信モードを変更するためのシグナリングメッセージを送信するステップと、
無線パケットスケジューラが、前記チャネル情報をスケジューリングに用いるか否かについての判定結果と、前記送信モードの変更の判定結果と、に基づいて、無線パケットのスケジューリングを行うステップと、
を含むことを特徴とする伝送制御方法。
【請求項７】
請求項１から請求項５のいずれか１つに記載の伝送制御装置を備えることを特徴とする送信局装置。
【発明の詳細な説明】
【技術分野】
【０００１】
本発明は、ＭＩＭＯ（Ｍｕｌｔｉｐｌｅ Ｉｎｐｕｔ Ｍｕｌｔｉｐｌｅ Ｏｕｔｐｕｔ、多入力多出力）伝送に係る伝送制御装置、伝送制御方法、及び送信局装置に関する。
【背景技術】
【０００２】
近年、高速かつ広帯域の無線伝送を実現する次世代の移動通信方式として、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の標準規格の１つであるＬＴＥ（Ｌｏｎｇ  Ｔｅｒｍ  Ｅｖｏｌｕｔｉｏｎ）が注目されている（非特許文献１参照）。
【０００３】
ＬＴＥでは、端末局のスループット（単位時間あたりのデータ転送量）を向上させるため、ＭＩＭＯ伝送技術が採用されている。ＭＩＭＯ伝送を行う基地局と端末局は、複数の送信アンテナと複数の受信アンテナとの間に形成されるチャネル（伝送路）を用い、同一周波数でデータを伝送した場合でも、並列するチャネルの数だけ伝送速度を高速化することができる。このためＭＩＭＯ伝送は、ＬＴＥにおける必須技術となっている。
【０００４】
ここで、ＬＴＥにおけるＭＩＭＯの送信モードとして、「１．Ｓｉｎｇｌｅ−ａｎｔｅｎｎａ ｐｏｒｔ; ｐｏｒｔ ０」、「２．Ｔｒａｎｓｍｉｔ ｄｉｖｅｒｓｉｔｙ」「３．Ｏｐｅｎ−ｌｏｏｐ ｓｐａｔｉａｌ ｍｕｌｔｉｐｌｅｘｉｎｇ」「４．Ｃｌｏｓｅｄ−ｌｏｏｐ ｓｐａｔｉａｌ ｍｕｌｔｉｐｌｅｘｉｎｇ」「５．Ｍｕｌｔｉ−ｕｓｅｒ ＭＩＭＯ」「６．Ｃｌｏｓｅｄ−ｌｏｏｐ Ｒａｎｋ＝１ ｐｒｅｃｏｄｉｎｇ」「７．Ｓｉｎｇｌｅ−ａｎｔｅｎｎａ ｐｏｒｔ; ｐｏｒｔ ５」の７つのモードが規定されている。
【０００５】
このうち、上記４から６の送信モードにおいて、基地局は、端末局からフィードバックされるＰＭＩ（Ｐｒｅｃｏｄｉｎｇ Ｍａｔｒｉｘ Ｉｎｄｉｃａｔｏｒ）を用いて無線パケット（リソース）を割り当てる（以下、「スケジューリング」と称する）。ここで、ＰＭＩは、チャネル情報であって、受信信号対干渉雑音比が最も大きくなるよう端末局が選択したプリコーディング（送信位相／振幅制御）のパターン情報である。
【０００６】
しかしながら、端末局が移動することでチャネル（伝送路）情報は刻々と変化する。このため、移動する端末局からフィードバックされたチャネル情報は、フィードバック後のチャネルにすでに適合していないことが多い。そこで従来の基地局は、端末局の移動速度を示すドップラ周波数を推定し、この推定値（以下、「推定ドップラ周波数」と称する）と１つの閾値を比較することにより、フィードバックされたチャネル情報をスケジューリングに用いるか否かを判定していた（特許文献１参照）。
【０００７】
図６は、従来の伝送制御装置が、チャネル情報をスケジューリングに用いるか否かを判定するタイミングと、シグナリングメッセージを送信するタイミングとを示す図である。ここで、シグナリングメッセージは、基地局（伝送制御装置）と端末局とがＭＩＭＯ伝送方式（送信モード）を変更するために交換する情報である。また、シグナリング処理は、ＬＴＥにおけるＲＲＣ(Ｒａｄｉｏ Ｒｅｓｏｕｒｃｅ Ｃｏｎｔｒｏｌ)レイヤで実行されるため、チャネル情報をスケジューリングに反映するには、数十ｍｓオーダーの長い時間が必要である。
【０００８】
従来の伝送制御装置は、推定ドップラ周波数が閾値以上となった時刻「ｔ１３」で、チャネル情報をスケジューリングに用いないと判定し、チャネル情報をフィードバックしないよう端末局にシグナリングメッセージを送信していた。次に伝送制御装置は、推定ドップラ周波数が閾値未満となった時刻「ｔ１４」で、チャネル情報をスケジューリングに用いると判定し、チャネル情報をフィードバックするよう端末局にシグナリングメッセージを送信していた。
【先行技術文献】
【特許文献】
【０００９】
【特許文献１】特開２００８−０６７１１５号公報
【非特許文献】
【００１０】
【非特許文献１】３ＧＰＰ  ＴＳ  ３６．２１１，”Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ”
【発明の概要】
【発明が解決しようとする課題】
【００１１】
しかしながら、推定ドップラ周波数は推定誤差も多いため、１つの閾値を頻繁に横切ることがある。この場合、従来の伝送制御装置は、送信モードを変更するためのシグナリングメッセージを頻繁に送信してしまい、これにより周波数帯域の利用効率を低下させてしまうという問題があった。
【００１２】
本発明は、前記の諸点に鑑みてなされたものであり、端末局（受信局）からフィードバックされたチャネル情報をスケジューリングに用いるか否かを切り替えても、周波数帯域の利用効率を低下させることがない伝送制御装置、伝送制御方法、及び送信局装置を提供することを目的とする。
【課題を解決するための手段】
【００１３】
本発明は、上記の課題を解決するためになされたものであり、受信局が送信したチャネル情報を受信するチャネル情報フィードバック受信部と、前記受信局が送信したパイロット信号に基づいてドップラ周波数を推定するドップラ周波数推定部と、前記推定されたドップラ周波数に基づいて、前記チャネル情報をスケジューリングに用いるか否かを判定するＭＩＭＯ方式制御部と、前記推定されたドップラ周波数に基づいて、ＭＩＭＯの送信モードを変更するか否かを判定するシグナリング送信判定部と、前記送信モード変更の判定結果に基づいて前記送信モードを変更し、前記受信局が前記送信モードを変更するためのシグナリングメッセージを送信するシグナリング送信部と、前記チャネル情報をスケジューリングに用いるか否かについての判定結果と、前記送信モードの変更の判定結果と、に基づいて、無線パケットのスケジューリングを行う無線パケットスケジューラと、を備えることを特徴とする伝送制御装置である。
【００１４】
また本発明は、前記無線パケットスケジューラが、前記チャネル情報をスケジューリングに用いる前記送信モードにおいて、前記チャネル情報をスケジューリングに用いないと判定された場合に、前記チャネル情報の代わりに、予め決められたプリコーディングパターンを用いてスケジューリングすることを特徴とする伝送制御装置である。
【００１５】
また本発明は、前記ＭＩＭＯ方式制御部が、前記ドップラ周波数が第１の閾値以上となった場合に、前記チャネル情報をスケジューリングに用いないと判定し、前記ドップラ周波数が第２の閾値以下となった場合に、前記チャネル情報をスケジューリングに用いると判定することを特徴とす伝送制御装置である。
【００１６】
また本発明は、前記シグナリング送信判定部が、前記ドップラ周波数が第３の閾値以上となった場合に、前記チャネル情報を送信させないための前記シグナリングメッセージを前記受信局に送信し、前記ドップラ周波数が第４の閾値以下となった場合に、前記チャネル情報を送信させるための前記シグナリングメッセージを前記受信局に送信することを特徴とする伝送制御装置である。
【００１７】
また本発明は、前記シグナリング送信判定部が、前記ＭＩＭＯ方式制御部が前記チャネル情報をスケジューリングに用いないと判定した時刻から所定時間が経過した後に、前記チャネル情報を送信させないための前記シグナリングメッセージを前記受信局に送信することを特徴とする伝送制御装置である。
【００１８】
また本発明は、伝送制御装置における伝送制御方法であって、チャネル情報フィードバック受信部が、受信局が送信したチャネル情報を受信するステップと、ドップラ周波数推定部が、前記受信局が送信したパイロット信号に基づいてドップラ周波数を推定するステップと、ＭＩＭＯ方式制御部が、前記推定されたドップラ周波数に基づいて、前記チャネル情報をスケジューリングに用いるか否かを判定するステップと、シグナリング送信判定部が、前記推定されたドップラ周波数に基づいて、ＭＩＭＯの送信モードを変更するか否かを判定するステップと、シグナリング送信部が、前記送信モード変更の判定結果に基づいて前記送信モードを変更し、前記受信局が前記送信モードを変更するためのシグナリングメッセージを送信するステップと、無線パケットスケジューラが、前記チャネル情報をスケジューリングに用いるか否かについての判定結果と、前記送信モードの変更の判定結果と、に基づいて、無線パケットのスケジューリングを行うステップと、を含むことを特徴とする伝送制御方法である。
【００１９】
また本発明は、伝送制御装置を備えることを特徴とする送信局装置である。
【発明の効果】
【００２０】
本発明によれば、伝送制御装置が、チャネル情報をスケジューリングに用いるか否かについての判定と、ＭＩＭＯの送信モードを変更するか否かについての判定を独立に行うので、送信モードを変更するためのシグナリングメッセージを頻繁に送信することなく、無線パケットのスケジューリング動作を切り替えることができる。
【図面の簡単な説明】
【００２１】
【図１】本発明の第１の実施形態における伝送制御装置の構成を示すブロック図である。
【図２】本発明の第１の実施形態における伝送制御装置が、チャネル情報をスケジューリングに用いるか否かを判定するタイミングと、シグナリングメッセージを送信するタイミングとを示す図である。
【図３】本発明の第２の実施形態における伝送制御装置が、チャネル情報をスケジューリングに用いるか否かを判定するタイミングと、シグナリングメッセージを送信するタイミングとを示す図である。
【図４】本発明の第２の実施形態における伝送制御装置が、チャネル情報をスケジューリングに用いるか否かを判定するタイミングを示す図である。
【図５】本発明の第３の実施形態における伝送制御装置が、チャネル情報をスケジューリングに用いるか否かを判定するタイミングと、シグナリングメッセージを送信するタイミングとを示す図である。
【図６】従来の伝送制御装置が、チャネル情報をスケジューリングに用いるか否かを判定するタイミングと、シグナリングメッセージを送信するタイミングとを示す図である。
【発明を実施するための形態】
【００２２】
[第１の実施形態]
本発明の第１の実施形態について図面を参照して詳細に説明する。図１は、本発明の第１の実施形態における伝送制御装置の構成を示すブロック図である。伝送制御装置１００は、基地局（送信局）に備えられる。伝送制御装置１００は、ドップラ周波数推定部１０と、ＭＩＭＯ方式制御部１１と、シグナリング送信判定部１２と、シグナリング送信部１３と、チャネル情報フィードバック受信部１４と、無線パケットスケジューラ１５と、を備える。
【００２３】
チャネル情報フィードバック受信部１４は、端末局（受信局）が送信したチャネル情報（ＰＭＩ）をＭＩＭＯ伝送によって受信し、無線パケットスケジューラ１５に出力する。
【００２４】
ドップラ周波数推定部１０には、端末局が送信したパイロット信号が入力される。ドップラ周波数推定部１０は、パイロット信号の周期変動に基づいて、端末局の移動速度を示すドップラ周波数を推定し、推定ドップラ周波数をＭＩＭＯ方式制御部１１とシグナリング送信判定部１２に出力する。ここでパイロット信号は、複数のチャネル（伝送路）から入力されてもよい。この場合、ドップラ周波数推定部１０は複数のパイロット信号に基づいて、最大の推定ドップラ周波数を出力する。
【００２５】
ＭＩＭＯ方式制御部１１には、推定ドップラ周波数が入力される。ＭＩＭＯ方式制御部１１は、推定ドップラ周波数と２つの閾値を比較することにより、チャネル情報をスケジューリングに用いるか否かを判定し、その判定結果を無線パケットスケジューラ１５に出力する。ＭＩＭＯ方式制御部１１の判定手順の詳細は、図２で後述する。
【００２６】
シグナリング送信判定部１２には、推定ドップラ周波数が入力される。シグナリング送信判定部１２は、推定ドップラ周波数と２つの閾値を比較することにより、ＭＩＭＯの送信モードを変更するか否かを判定し、その判定結果をシグナリング送信部１３に出力する。シグナリング送信判定部１２の判定手順の詳細は、図２で後述する。
【００２７】
シグナリング送信部１３には、ＭＩＭＯの送信モードを変更するか否かについての判定結果が入力される。送信モードを変更すると判定された場合、シグナリング送信部１３は、送信モードを変更し、無線パケットスケジューラ１５にその送信モードを通知するとともに、端末局にシグナリングメッセージを送信する。一方、送信モードを変更しないと判定された場合、シグナリング送信部１３は、送信モードを変更せず、シグナリングメッセージを端末局に送信しない。なお、シグナリング送信部１３は、シグナリングメッセージを端末局と送受信してもよい。
【００２８】
無線パケットスケジューラ１５には、チャネル情報と、チャネル情報をスケジューリングに用いるか否かについての判定結果と、送信モードが入力される。チャネル情報をスケジューリングに用いると判定された場合、無線パケットスケジューラ１５は、通知された送信モードで動作し、チャネル情報を用いて無線パケットのスケジューリングを行う。
【００２９】
一方、チャネル情報をスケジューリングに用いないと判定された場合、無線パケットスケジューラ１５は通知された送信モードで動作し、チャネル情報の代わりに、予め決められたプリコーディングパターンを用いて無線パケットのスケジューリングを行う。ここで、無線パケットスケジューラ１５の各送信モードにおけるスケジューリングには、適宜のアルゴリズムが用いられてよい。
【００３０】
次に、ＭＩＭＯ方式制御部１１とシグナリング送信判定部１２の判定手順の詳細を説明する。図２は、本発明の第１の実施形態における伝送制御装置が、チャネル情報をスケジューリングに用いるか否かを判定するタイミングと、シグナリングメッセージを送信するタイミングとを示す図である。横軸は時刻を示し、縦軸は推定ドップラ周波数を示す。ここで、閾値１は閾値２よりも大きい値である。
【００３１】
まず時刻「ｔ１」より前において、無線パケットスケジューラ１５は、フィードバックされたチャネル情報（ＰＭＩ）を用いてスケジューリングする送信モード（Ｃｌｏｓｅｄ−ｌｏｏｐ）で、ＭＩＭＯ伝送を実行しているものとする。
【００３２】
次に端末局の移動速度が速くなり、「閾値１」未満であった推定ドップラ周波数が、時刻「ｔ１」において「閾値１」以上になったとする。ＭＩＭＯ方式制御部１１は、推定ドップラ周波数と「閾値１」を比較することにより、チャネル情報をスケジューリングに用いないと判定する。同様にシグナリング送信判定部１２は、送信モードを変更すると判定する。これにより、シグナリング送信部１３は、端末局にチャネル情報を送信させないためのシグナリングメッセージを送信する。
【００３３】
時刻「ｔ１」から「ｔ２」までの間、推定ドップラ周波数が「閾値２」以上であるため、無線パケットスケジューラ１５は、チャネル情報を用いずに無線パケットのスケジューリングを実行する。同様に、端末局は基地局にチャネル情報を送信しない。すなわち、ＭＩＭＯ方式制御部１１とシグナリング送信判定部１２は、推定ドップラ周波数が「閾値２」以下になるまでは、それまでの動作を続ける。
【００３４】
次に端末局の移動速度が遅くなり、「閾値２」より高かった推定ドップラ周波数が、時刻「ｔ２」において「閾値２」以下になったとする。ＭＩＭＯ方式制御部１１は、推定ドップラ周波数と「閾値２」を比較することにより、チャネル情報をスケジューリングに用いると判定する。同様にシグナリング送信判定部１２は、送信モードを変更すると判定する。これにより、シグナリング送信部１３は、端末局にチャネル情報を送信させるためのシグナリングメッセージを送信する。
【００３５】
時刻「ｔ２」より後において、無線パケットスケジューラ１５は、チャネル情報を用いて無線パケットのスケジューリングを実行する。また、端末局は基地局にチャネル情報を送信する。すなわち、ＭＩＭＯ方式制御部１１とシグナリング送信判定部１２は、推定ドップラ周波数が「閾値１」以上になるまでは、それまでの動作を続ける。
【００３６】
以上、本発明の第１の実施形態により、伝送制御装置が、チャネル情報をスケジューリングに用いるか否かについての判定と、ＭＩＭＯの送信モードを変更するか否かについての判定を２つの閾値を用いて独立に行うので、無線パケットのスケジューリング動作を切り替えても、送信モードを変更するためのシグナリングメッセージを頻繁に送信することがない。
【００３７】
[第２の実施形態]
本発明の第２の実施形態について図面を参照して詳細に説明する。第２の実施形態における伝送制御装置は、ＭＩＭＯ方式制御部１１とシグナリング送信判定部１２の動作が第１の実施形態と異なる。以下、第１の実施形態における伝送制御装置との相違点についてのみ説明する。
【００３８】
図３は、本発明の第２の実施形態における伝送制御装置が、チャネル情報をスケジューリングに用いるか否かを判定するタイミングと、シグナリングメッセージを送信するタイミングとを示す図である。
【００３９】
ＭＩＭＯ方式制御部１１は、「閾値１」及び「閾値２」と、推定ドップラ周波数を比較する。同様に、シグナリング送信判定部１２は、「閾値３」及び「閾値４」と、推定ドップラ周波数を比較する。ここで各閾値は、「閾値３」＞「閾値１」＞「閾値４」＞「閾値２」の大小関係があるものとする。
【００４０】
まず時刻「ｔ３」より前において、無線パケットスケジューラ１５は、フィードバックされたチャネル情報（ＰＭＩ）を用いてスケジューリングする送信モード（Ｃｌｏｓｅｄ−ｌｏｏｐ）で、ＭＩＭＯ伝送を実行しているものとする。
【００４１】
次に端末局の移動速度が速くなり、「閾値１」未満であった推定ドップラ周波数が、時刻「ｔ３」において「閾値１」以上になったとする。ＭＩＭＯ方式制御部１１は、推定ドップラ周波数と「閾値１」を比較することにより、チャネル情報をスケジューリングに用いないと判定する。
【００４２】
さらに端末局の移動速度が速くなり、「閾値３」未満であった推定ドップラ周波数が、時刻「ｔ４」において「閾値３」以上になったとする。これにより、シグナリング送信判定部１２は、送信モードを変更すると判定する。したがって、シグナリング送信部１３は、端末局にチャネル情報を送信させないためのシグナリングメッセージを送信する。
【００４３】
次に、端末局の移動速度が遅くなり、「閾値４」より高かった推定ドップラ周波数が、時刻「ｔ５」において「閾値４」以下になったとする。これにより、シグナリング送信判定部１２は、送信モードを変更すると判定する。したがって、シグナリング送信部１３は、端末局にチャネル情報を送信させるためのシグナリングメッセージを送信する。
【００４４】
さらに端末局の移動速度が遅くなり、「閾値２」より高かった推定ドップラ周波数が、時刻「ｔ６」において「閾値２」以下になったとする。これにより、ＭＩＭＯ方式制御部１１は、チャネル情報をスケジューリングに用いると判定する。
【００４５】
このように、時刻「ｔ４」から「ｔ５」までの間、端末局はチャネル情報を基地局に送信せず、時刻「ｔ５」より後で送信する。一方、時刻「ｔ３」から「ｔ６」までの間、無線パケットスケジューラ１５は、チャネル情報を用いずに、予め決められたプリコーディングパターンを用いて無線パケットのスケジューリングを実行し、時刻「ｔ６」より後では、チャネル情報を用いたスケジューリングを実行する。
【００４６】
したがって、時刻「ｔ３」から「ｔ４」の間、及び時刻「ｔ５」から「ｔ６」の間、無線パケットスケジューラ１５は、フィードバックされたチャネル情報（ＰＭＩ）を用いてスケジューリングする送信モード（Ｃｌｏｓｅｄ−ｌｏｏｐ）で動作しているにもかかわらず、チャネル情報を用いずに、予め決められたプリコーディングパターンを用いて無線パケットのスケジューリングを実行する。
【００４７】
図４は、本発明の第２の実施形態における伝送制御装置が、チャネル情報をスケジューリングに用いるか否かを判定するタイミングを示す図である。一例として、閾値１を上回った推定ドップラ周波数が、閾値３に到達せずに、閾値２を下回った場合の動作について説明する。
【００４８】
まず、時刻「ｔ７」より前において、無線パケットスケジューラ１５は、フィードバックされたチャネル情報（ＰＭＩ）を用いてスケジューリングする送信モード（Ｃｌｏｓｅｄ−ｌｏｏｐ）で、ＭＩＭＯ伝送を実行しているものとする。
【００４９】
次に端末局の移動速度が速くなり、「閾値１」未満であった推定ドップラ周波数が、時刻「ｔ７」において「閾値１」以上になったとする。これにより、ＭＩＭＯ方式制御部１１は、チャネル情報をスケジューリングに用いないと判定する。
【００５０】
次に端末局の移動速度が遅くなり、「閾値１」以上であった推定ドップラ周波数が、「閾値３」に到達せずに時刻「ｔ８」において「閾値２」以下になったとする。これにより、ＭＩＭＯ方式制御部１１は、チャネル情報をスケジューリングに用いると判定する。一方、シグナリング送信判定部１２は、推定ドップラ周波数が「閾値３」に到達しなかったため、それまでの動作を続ける。
【００５１】
このように、図４において、シグナリングメッセージが１度も送信されないため、ＭＩＭＯの送信モードは変更されない。しかし、時刻「ｔ７」から「ｔ８」までの間、無線パケットスケジューラ１５は、チャネル情報を用いずに無線パケットのスケジューリングを実行し、時刻「ｔ８」より後では、チャネル情報を用いたスケジューリングを実行する。
【００５２】
したがって、時刻「ｔ７」から「ｔ８」の間、無線パケットスケジューラ１５は、フィードバックされたチャネル情報（ＰＭＩ）を用いてスケジューリングする送信モード（Ｃｌｏｓｅｄ−ｌｏｏｐ）で動作しているにもかかわらず、チャネル情報を用いずに、予め決められたプリコーディングパターンを用いて無線パケットのスケジューリングを実行する。
【００５３】
以上、本発明の第２の実施形態により、伝送制御装置が、チャネル情報をスケジューリングに用いるか否かについての判定と、ＭＩＭＯの送信モードを変更するか否かについての判定を４つの閾値を用いて独立に行うので、無線パケットのスケジューリング動作を切り替えても、送信モードを変更するためのシグナリングメッセージを頻繁に送信することがない。
【００５４】
[第３の実施形態]
本発明の第３の実施形態について図面を参照して詳細に説明する。第３の実施形態における伝送制御装置は、ＭＩＭＯ方式制御部１１とシグナリング送信判定部１２の動作が第１の実施形態と異なる。以下、第１の実施形態における伝送制御装置との相違点についてのみ説明する。
【００５５】
図５は、本発明の第３の実施形態における伝送制御装置が、チャネル情報をスケジューリングに用いるか否かを判定するタイミングと、シグナリングメッセージを送信するタイミングとを示す図である。
【００５６】
まず時刻「ｔ９」より前において、無線パケットスケジューラ１５は、フィードバックされたチャネル情報（ＰＭＩ）を用いてスケジューリングする送信モード（Ｃｌｏｓｅｄ−ｌｏｏｐ）で、ＭＩＭＯ伝送を実行しているものとする。
【００５７】
次に端末局の移動速度が速くなり、「閾値１」未満であった推定ドップラ周波数が、時刻「ｔ９」において「閾値１」以上になったとする。ＭＩＭＯ方式制御部１１は、推定ドップラ周波数と「閾値１」を比較することにより、チャネル情報をスケジューリングに用いないと判定する。
【００５８】
また、シグナリング送信判定部１２は、ＭＩＭＯ方式制御部１１がチャネル情報をスケジューリングに用いないと判定した時刻「ｔ９」から時間を計測する。シグナリング送信判定部１２は、時刻「ｔ９」から時間閾値「Δｔ１１」だけ経過すると、送信モードを変更すると判定する。したがって、シグナリング送信部１３は、端末局にチャネル情報を送信させないためのシグナリングメッセージを送信する。
【００５９】
次に、端末局の移動速度が遅くなり、「閾値４」より高かった推定ドップラ周波数が、時刻「ｔ１０」において「閾値４」以下になったとする。これにより、シグナリング送信判定部１２は、送信モードを変更すると判定する。したがって、シグナリング送信部１３は、端末局にチャネル情報を送信させるためのシグナリングメッセージを送信する。
【００６０】
また、ＭＩＭＯ方式制御部１１は、シグナリング送信判定部１２が送信モードを変更すると判定した時刻「ｔ１０」から時間を計測する。ＭＩＭＯ方式制御部１１は、時刻「ｔ１０」から時間閾値「Δｔ１２」だけ経過すると、チャネル情報をスケジューリングに用いると判定する。
【００６１】
したがって、時刻「ｔ９」から「Δｔ１１」が経過するまでの間、及び時刻「ｔ１０」から「Δｔ１２」が経過するまでの間、無線パケットスケジューラ１５は、フィードバックされたチャネル情報（ＰＭＩ）を用いてスケジューリングする送信モード（Ｃｌｏｓｅｄ−ｌｏｏｐ）で動作しているにもかかわらず、チャネル情報を用いずに、予め決められたプリコーディングパターンを用いて無線パケットのスケジューリングを実行する。
【００６２】
なお、シグナリング送信判定部１２は、推定ドップラ周波数が「閾値４」以下となった時刻「ｔ１０」から時間を計測し、その時刻「ｔ１０」から時間閾値「Δｔ１３」（不図示）だけ経過後に、送信モードを変更すると判定してもよい。シグナリング送信部１３は、その判定後に、チャネル情報を送信させるためのシグナリングメッセージを端末局に送信する。
【００６３】
以上、本発明の第３の実施形態により、伝送制御装置が、チャネル情報をスケジューリングに用いるか否かについての判定と、ＭＩＭＯの送信モードを変更するか否かについての判定を、２つの閾値と２つの時間閾値を用いて独立に行うので、無線パケットのスケジューリング動作を切り替えても、送信モードを変更するためのシグナリングメッセージを頻繁に送信することがない。
【００６４】
以上、この発明の実施形態について図面を参照して詳述してきたが、具体的な構成はこの実施形態に限られるものではなく、この発明の要旨を逸脱しない範囲の設計等も含まれる。
【００６５】
例えば、伝送制御装置が端末局（受信局）に備えられることで、端末局は送信局として動作してもよい。
【００６６】
また、本発明に記載のドップラ周波数推定部は、ドップラ周波数推定部１０に対応し、チャネル情報フィードバック受信部は、チャネル情報フィードバック受信部１４に対応し、ＭＩＭＯ方式制御部は、ＭＩＭＯ方式制御部１１に対応し、シグナリング送信判定部は、シグナリング送信判定部１２に対応し、シグナリング送信部は、シグナリング送信部１３に対応し、無線パケットスケジューラは、無線パケットスケジューラ１５に対応する。
【符号の説明】
【００６７】
１０…ドップラ周波数推定部  １１…ＭＩＭＯ方式制御部  １２…シグナリング送信判定部  １３…シグナリング送信部  １４…チャネル情報フィードバック受信部  １５…無線パケットスケジューラ  １００…伝送制御装置
【図１】
2011029894.tif 000003
【図２】
2011029894.tif 000004
【図３】
2011029894.tif 000005
【図４】
2011029894.tif 000006
【図５】
2011029894.tif 000007
【図６】
2011029894.tif 000008